(57)【特許請求の範囲】
【請求項１】
上面に螺孔を備えた方形状の対のブロックと、この対のブロックを連繋する板状連結体の一方を、側面視してＵ字形とし、また板状連結体の他方を、側面視して倒Ｕ字形とし、このＵ字形と、倒Ｕ字形を重合せ形態した板状連結体と、この各板状連結体の基端を前記対のブロックにそれぞれ固止し、またこの各板状連結体を受入れる隙間を、前記対のブロックの前記板状連結体に併設してそれぞれ形成したことを特徴としたブロック架台。
【請求項２】
請求項１の各板状連結体を、対のブロックに鋳込み成形する構成としたブロック架台。
【請求項３】
請求項１の少なくとも一方のブロックの下面に、対の螺孔を形成する構成としたブロック架台。
【発明の詳細な説明】
【０００１】
【発明の属する技術分野】
この発明は、クーラーの室外機、ケーブル、又は凾物等のブロック架台に関する。
【０００２】
【従来の技術】
クーラーの室外機、ケーブル、又は凾物等（室外機とする）のブロック架台、又はプラスチック架台がある。このブロック架台は、ブロックに縦溝を形成し、この縦溝と室外機の取付け片とをボルト及びナットを介して緊締する構成である。また中空縦長角錐状の箱形を呈するプラスチック架台がある。このプラスチック架台の長溝に、ボルト及びナットを介して緊締する構成である。この従来のブロック架台及びプラスチック架台（両者を総称する場合には、ブロック架台等とする）は、長手方向の寸法が一定である。従って、室外機の寸法により、数種のブロック架台等を用意する必要があり、取扱い、運搬、連絡等の作業が面倒であること、この取扱い等のトラブル発生要素となること、又は保管場所、在庫の確保等において、思いのほか手間を要すること等の改良点がある。
【０００３】
上記の改良点として、ブロック架台等を、分割してブロック台として、このブロック台を、連結部材を介在して接離可能とした構成であって、数所の寸法の室外機に対応することを意図する文献がある。その一例を、文献（１）、（２）として説明する。文献（１）は、実開平６−８００９９号の合成樹脂製架台であり、内容は、室外機取付け用のナット（ボルト）を備えた対の中空角錐状基台を、摺動腕とソケット（貫通袋部）を介して接離調節可能に構成したことであって、寸法調整による利点があること（前述の一体形の課題解消が図れること）、互に積重ねても密着することなく、分離の容易化を図ること、積重ね可能とすること、架台の軽量化を図ること等を意図する。また取付けボルト補強用のリブ等を設けて、ボルト、ナット等の取付け作業性の容易化、強度の向上等を図ることを意図する。また文献（２）は、特開平９−１６６２８１号の取付台及びピン取付構造であり、内容は、室外機取付け用のナット（ボルト）を備えた対の台本体を、台本体を、連結体と開放部（挿入孔）を介して接離調節可能に構成したことであって、寸法調整による利点があること、設置スペース及び／又は取扱い時等における小スペース化を図ることを意図する。
【０００４】
【発明が解決しようとする課題】
前述の文献（１）、（２）は、前述した如く、寸法調整による利点等の特徴を備えている。しかし、改良点があり、以下に説明する。１）文献（１）、（２）は、摺動腕とソケット、また連結体と開放部は、ともにスペースを置いて対で設けられた構成であり、片手での持ち運びに難渋すること、このスペースにゴミ、鳥が巣造りをして、その処理に困ること、等の課題がある。２）この文献（１）、（２）は、外付けの摺動腕等の構造、又は連結体が台本体の略１／２の大きさの構造を採用する。従って、樹脂製品には適用可能である。しかし、本発明の意図するブロックでは、製品が、コンクリート構造物であること、又は中実の構造であり、しかも形状等を考慮した場合には、到底採用できる構造ではない。３）文献（１）は、摺動腕とソケットを、基台の両側面に設ける構成であり、基台の寸法が大きくなり、設置場所を要すること、室外機の形状及び／又は大きさによって採用できないこと、等の課題がある。４）文献（１）、（２）は、高さ調整の手段を装備しないことから、室外機をベランダ等の如く、傾斜箇所に設置する際に問題があること、又は附属品を要すること、等の課題がある。
【０００５】
【課題を解決するための手段】
請求項１の発明は、室外機の大小の寸法に対応でき、少なくとも数種の室外機を安定して設置すること、また重合せ形態の板状連結体を把持することで、片手での持運びを可能とすること、ゴミ等の集積を無くし得ること、又はブロック架台の小型化を図ること、等を意図する。またブロック間に、重合せ形態の板状連結体を設ける構成であり、ブロック架台に最適及び／又は強度的に優れたスペース調整手段を採用することを意図する。
【０００６】
請求項１は、  上面に螺孔を備えた方形状の対のブロックと、この対のブロックを連繋する板状連結体の一方を、側面視してＵ字形とし、また板状連結体の他方を、側面視して倒Ｕ字形とし、このＵ字形と、倒Ｕ字形を重合せ形態した板状連結体と、この各板状連結体の基端を前記対のブロックにそれぞれ固止し、またこの各板状連結体を受入れる隙間を、前記対のブロックの前記板状連結体に併設してそれぞれ形成したことを特徴としたブロック架台。
【０００７】
【０００８】
【０００９】
請求項２の発明は、請求項１の発明を達成するに、最適な重合せ形態の板状連結体を提供する。
【００１０】
請求項２は、請求項１の各板状連結体を、対のブロックに鋳込み成形する構成としたブロック架台である。
【００１１】
【００１２】
【００１３】
請求項３の発明は、請求項１の発明を達成するに、最適な高さ調整ができるブロックを提供する。
【００１４】
請求項３は、請求項１の少なくとも一方のブロックの下面に、対の螺孔を形成する構成としたブロック架台である。
【００１５】
【発明の実施の形態】
以下、本発明の好ましい実施の形態を説明する。
【００１６】
室外機の寸法（Ａ方向であり、以下、幅方向とする）に合わせて、ブロックを把持しながら、板状連結体をスライド移行することで、このブロックのスペース調整ができる。このスペースは、望ましくは、緊締部材を締付けることで固定すれば理想である。何故ならば、この板状連結体が固定されるとともに、対のブロックのスペースと、位置が固定されるからであり、室外機の安定設置と、その機能発揮、耐久性の向上等に寄与できること、等の利点がある。以上で、左右の何れかのブロック架台が成形されたら、左右の他のブロック架台を、同じ操作により成形する。
【００１７】
この左右（各）のブロック架台の寸法が特定し、各対のブロックのスペースが固定されたならば、この各対のブロックに、室外機の左右の各取付け部材をそれぞれ載置し、この各取付け部材を、各取付けボルトを介してそれぞれ緊締することで、室外機の取付けが終了する。尚、ベランダの如く、傾斜している場合には、各対のブロックの下面に設けた螺孔に、調整ボルトを螺入して、この螺入した取付けボルトの下面からの突出長さにより、高さ調整する。この取付けボルトは、締付けナット等を利用して固定することで、安定した高さが確保できる。
【００１８】
【実施例】
以下、本発明の一例を説明する。
【００１９】
１は上面１００に螺孔１０１（長尺ナット、袋ナット等）を備えた方形状のブロックで、この方形状のブロック１には、対峙側１０２（内側）に側面視してＵ字形（略Ｕ字形を含む）の板状連結体２を突設するとともに、この板状連結体２の近傍に隙間３を形成する。このブロック１に対峙するブロック１ａを形成し、このブロック１ａの対峙側に側面視して倒Ｕ字形（略倒Ｕ字形を含む）の板状連結体２ａと、この板状連結体２ａの近傍に隙間３ａを形成する。この対のブロック１、１ａは、対峙して設けられるとともに、Ｕ字形の板状連結体２に倒  Ｕ字形の板状連結体２ａが重合わされる。この重合せ時に、一方のブロック１の隙間３に他方のブロック１ａの板状連結体２ａが挿入され、逆に他方のブロック１ａの隙間３ａに一方のブロック１の板状連結体２が挿入される。即ち、対峙関係となる対のブロック１、１ａの隙間３、３ａに、この対峙関係となる対のブロック１、１ａの板状連結体２、２ａが挿入することで、この両ブロック１、１ａが連結される。またこの両ブロック１、１ａ間に必要とするスペース４が形成される。尚、板状連結体２、２ａは、ブロック１、１ａの対峙面１０２、１０２ａの略中心位置に設けることで、ブロック架台Ａを把持した時の安定性と、容易な把持が図れること、又は設置時のベランダ面と間に隙間、又は空気の流通を図り、室外機の冷却効果等を図る。またブロック１ａの上面１００ａには螺孔１０１ａを設ける。尚、ブロック１の上面１００の螺孔１０１には、室外機Ｂ、配管Ｃ等の取付け用ボルト５を螺入する。
【００２０】
そして、このブロック１の下面１０３には、高さ調整ボルト６、６ａを螺入する螺孔１０４、１０４ａが、対で設けられている。この螺孔１０４、１０４ａは、ブロック架台Ａの安定性を考慮して、ブロック１の螺孔１０１の対峙側とする。尚、図示しないが、必要によりブロック１ａの下面１０３ａに、高さ調整ボルトを螺入する螺孔を設ける例もあり、このブロック架台Ａ全体の高さ調整を図ることも可能である。
【００２１】
図中７、７ａは、ブロック１、１ａの対峙面１０２、１０２ａに設けた補強板で、ブロック１、１ａの破損防止、強度の向上、又は製造の容易化、鋳込み成形の容易化、板状連結板２、２ａの設置の容易化、取付け位置の安定性、把持の際の破壊防止、荷重負担に耐え得ること、等に役立てる。尚、前記Ｕ字形・倒Ｕ字形の板状連結板２、２ａを、鋼材で構成して、薄肉化を図り、またブロック架台Ａの把持可能とすること、重合せを確実かつ省スペースで達成すること、等を意図する。
【００２２】
【発明の効果】
請求項１の発明は、  上面に螺孔を備えた方形状の対のブロックと、この対のブロックを連繋する板状連結体の一方を、側面視してＵ字形とし、また板状連結体の他方を、側面視して倒Ｕ字形とし、このＵ字形と、倒Ｕ字形を重合せ形態した板状連結体と、この各板状連結体の基端を前記対のブロックにそれぞれ固止し、またこの各板状連結体を受入れる隙間を、前記対のブロックの前記板状連結体に併設してそれぞれ形成したことを特徴としたブロック架台。従って、室外機の大小の寸法に対応でき、少なくとも数種の室外機を安定して設置できること、また重合せ形態の板状連結体を把持できることで、片手での持運びを可能とすること、ゴミ等の集積を無くし得ること、又はブロック架台の小型化が図れること、等の特徴がある。またブロック間に、重合せ形態の板状連結体を設ける構成であり、ブロック架台に最適及び／又は強度的に優れたスペース調整手段を採用できる実益がある。
【００２３】
【００２４】
請求項２の発明は、請求項１の各板状連結体を、対のブロックに鋳込み成形する構成としたブロック架台である。従って、請求項１の発明を達成するに、最適な重合せ形態の板状連結体を提供できる。
【００２５】
【００２６】
請求項３の発明は、請求項１の少なくとも一方のブロックの下面に、対の螺孔を形成する構成としたブロック架台である。従って、請求項１の発明を達成するに、最適な高さ調整ができるブロックを提供できる。
【図面の簡単な説明】
【図１】      本発明のブロック架台をスペースを置いて設けた斜視図
【図２】      図１の状態の板状連結体を一部欠截した斜視図
【図３】      本発明のブロック架台を当接して設けた斜視図
【図４】      本発明の板状連結体を拡大して示した斜視図
【図５】      図１の裏面図
【図６】      本発明を室外機の架台として使用した一例の斜視図
【図７】      本発明を配管用の架台として使用した一例を示す斜視図
【符号の説明】
１          ブロック
１００      上面
１０１      螺孔
１０２      対峙面
１０３      下面
１０４      螺孔
１ａ        ブロック
１００ａ    上面
１０１ａ    螺孔
１０２ａ    対峙面
１０３ａ    下面
１０４ａ    螺孔
２          板状連結体
２ａ        板状連結体
３          隙間
３ａ        隙間
４          スペース
５          ボルト
６          ボルト
６ａ        ボルト
７          補強板
７ａ        補強板
Ａ          ブロック架台
Ｂ          室外機
Ｃ          配管
【図１】
0003734249.tif 000002
【図２】
0003734249.tif 000003
【図３】
0003734249.tif 000004
【図４】
0003734249.tif 000005
【図５】
0003734249.tif 000006
【図６】
0003734249.tif 000007
【図７】
0003734249.tif 000008